(57)【要約】【課題】ＣＤを演奏する場合などに同時に歌詞も表示部に表示できるカーオーディオにおける歌詞表示システムを提供する。【解決手段】ＣＤ・ＤＶＤデッキにＣＤを挿入すると、ＣＤＤＢを参照して楽曲データが取得される。さらに取得した楽曲データのタイトルやアーティストの項目が一致する歌詞データを検索する。一致したタイトルやアーティストの歌詞データの歌詞ファイルが読み出されＣＤ内の楽曲対応の歌詞が液晶表示部２に表示される。ユーザはＣＤやＨＤＤ内の楽曲に対する歌詞が表示されるため、プレイ中のアーティストの発声内容を正確に把握することができる。【選択図】図１
2008052843.tif 000002
【特許請求の範囲】
【請求項１】
曲タイトル，アーティスト名，演奏時間および波形特徴部分よりなる楽曲データを多数記録した楽曲データベースを格納したＣＤデータベース記憶領域を、内部または通信回線で接続された外部に有し、再生されるべき任意の楽曲の特徴波形情報が抽出された場合、該特徴波形情報で前記ＣＤデータベース記憶領域中を検索して対応の楽曲データを取り込むカーオーディオ装置において、
曲タイトル，アーティスト名および歌詞ファイルよりなる歌詞データを多数記録した歌詞データベースを格納した歌詞データベース記憶領域を設け、
前記取り込まれた楽曲データにより前記歌詞データベースを検索し、楽曲データを構成する項目が所定数以上一致した場合に、一致した歌詞データを取り込む歌詞データ検索手段と、
取り込んだ歌詞データの歌詞を、楽曲の再生に対応して表示手段に表示する表示制御手段と、
を備えることを特徴とするカーオーディオにおける歌詞表示システム。
【請求項２】
前記検索手段における一致判断は、前記楽曲データと前記歌詞データの項目が少なくとも２個一致することであることを特徴とする請求項１記載のカーオーディオにおける歌詞表示システム。
【請求項３】
前記カーオーディオ装置は、ナビゲーション機能を搭載したカーナビゲーション装置に付設されたことを特徴とする請求項１または２記載のカーオーディオにおける歌詞表示システム。
【発明の詳細な説明】
【技術分野】
【０００１】
本発明は、ＣＤＤＢ（グレースノート  インコーポレイテッドの登録商標）および歌詞データベースを対応付けすることにより演奏曲の歌詞を速やかに画面に表示することができるカーオーディオにおける歌詞表示システムに関する。
【背景技術】
【０００２】
従来のカーオーディオシステムでは、楽曲のタイトル・アーティスト名・ＣＤタイトルなどＣＤＤＢに準じる情報のみしか表示できなかった。
これはＣＤにディスクをセットすると、自動的にＣＤデータベースにアクセスしてそのＣＤ曲の属性を読み出し、液晶表示部に楽曲のタイトル・アーティスト名・ＣＤタイトルなどを表示するものである。
この種の検索はハードディスク内の現在音楽認識情報の業界標準となっているグレースノート社ＣＤＤＢにアクセスし、ＣＤＤＢから楽曲のタイトル・アーティスト名・ＣＤタイトル・ジャンルなどのＣＤにまつわる情報を取得することにより瞬時に演奏曲のタイトル・アーティスト名・ＣＤタイトルなどを表示するシステムを利用するものである。
【０００３】
最近のカーオーディオ用ＣＤプレイヤは、カーナビと一体型のディスプレイ付きが一般的になっている。
ＣＤをプレイヤにセットした場合、曲演奏だけでなく、歌詞が存在する曲であれば、同時にディスプレイに歌詞を表示することがリスナーよって望まれるものである。
従来は特許文献１に示すようにプレイリストを生成するものは存在するが、ＣＤに格納された曲に対し歌詞を生成するものは提案されていない。
【特許文献１】特表２００５−５２６３４０号公報
【発明の開示】
【発明が解決しようとする課題】
【０００４】
本発明の目的は、ＣＤなどの楽曲を再生する場合に同時に歌詞も表示部に表示できるカーオーディオにおける歌詞表示システムを提供することにある。
【課題を解決するための手段】
【０００５】
前記目的を達成するために本発明の請求項１は曲タイトル，アーティスト名，演奏時間および波形特徴部分よりなる楽曲データを多数記録した楽曲データベースを格納したＣＤデータベース記憶領域を、内部または通信回線で接続された外部に有し、再生されるべき任意の楽曲の特徴波形情報が抽出された場合、該特徴波形情報で前記ＣＤデータベース記憶領域中を検索して対応の楽曲データを取り込むカーオーディオ装置において、曲タイトル，アーティスト名および歌詞ファイルよりなる歌詞データを多数記録した歌詞データベースを格納した歌詞データベース記憶領域を設け、前記取り込まれた楽曲データにより前記歌詞データベースを検索し、楽曲データを構成する項目が所定数以上一致した場合に、一致した歌詞データを取り込む歌詞データ検索手段と、取り込んだ歌詞データの歌詞を、楽曲の再生に対応して表示手段に表示する表示制御手段とを備えることを特徴とする。
本発明の請求項２は、請求項１記載の発明において、前記検索手段における一致判断は、前記楽曲データと前記歌詞データの項目が少なくとも２個一致することであることを特徴とする。
本発明の請求項３は、請求項１または２記載の発明において前記カーオーディオ装置は、ナビゲーション機能を搭載したカーナビゲーション装置に付設されたことを特徴とする。
【発明の効果】
【０００６】
上記構成によれば、楽曲と表示する歌詞がリンクされて供給されるカラオケデータとは異なり、表示する歌詞が供給されない楽曲を格納したＣＤ再生において、再生とともに画面上に歌詞が表示される。これにより、ボーカル曲のアーティストが発する歌詞について正確な文言を確認することなどに用いることができる。また、楽曲のみのＣＤ再生でも、その曲に歌詞が存在するものであれば、歌詞を確認することができ、通常のＣＤをカラオケ供給媒体としてユーザは利用することが可能となる。
【発明を実施するための最良の形態】
【０００７】
以下、図面を参照して本発明の実施の形態を詳しく説明する。
図１は、本発明によるカーオーディオにおける歌詞表示システムを適用したカーナビオーディオ装置の外観を示す図である。
道路マップや文字情報を表示する液晶表示部２が中央に配置され、その下部にＦＭ・ＡＭチューナ操作部およびナビ操作部３が配置されている。
さらにその下部にはＣＤ・ＤＶＤデッキ４が一体に組み込まれている。ＣＤ・ＤＶＤデッキ４にはデッキ操作部５およびボリューム６が配置されている。スピーカ１８は４チャンネルのスピーカで構成されており、車前席左右のドアの内面側面およびリアウインドウ下のパネル左右に配置される。
カーナビを起動していない状態で、ＣＤなどをデッキに挿入すると、ボーカルなども含む楽曲が再生されるとともに液晶表示部２には例えば図１に示すように再生楽曲の歌詞が表示される。また、カーナビを使用して液晶表示部２に道路マップを表示中でもＣＤ・ＤＶＤデッキ４にＣＤを装填すれば、同様に音楽が再生されるとともに歌詞が表示される。かかる場合には液晶表示部２の下部の一部を用いて歌詞が表示される。
【０００８】
図２は、カーナビオーディオ装置の回路の実施の形態を示す回路図である。
この実施の形態は、ＣＰＵ１０，駆動回路１９，ＤＶＤ・ＣＤデッキ４，液晶駆動回路１５，液晶表示部２，サウンド処理部１７，４チャンネルのスピーカ１８，ＨＤＤ２１，メモリ部１１，ＦＭ・ＡＭチャーナ１２，チューナ操作部およびナビ操作部３およびＲＯＭ１４を含むものである。この装置はナビゲーション機能部およびＦＭ・ＡＭチューナ搭載オーディオ機能部を備えている。
ＲＯＭ１４には道路マップを表示してドライバに目的地までの移動コースなどを指示するナビゲーション制御プログラムおよびデータベース検索やオーディオ再生，チューナ制御などのオーディオ制御プログラムを格納しており、上記各機能はこの各プログラムをＣＰＵ１０に読み込むことにより実行される。
【０００９】
ＨＤＤ２１には多数の楽曲の波形データ（ＷＡＶＥ，ＭＰ３など）が格納されている。また、１以上の楽曲の波形データが記録されているＣＤなどの記録媒体２０を装着するＣＤ・ＤＶＤデッキ４がＣＤ・ＤＶＤ制御部１０ｃに接続され、駆動や読み書きの制御が行われる。
メモリ部１１には多数の楽曲データを格納する楽曲データベース１１ａと、多数の歌詞データを格納する歌詞データベース１１ｂが格納されている。また、ナビ表示用地図データ１１ｃも格納されている。
ＦＭ・ＡＭチューナ部１２はチューナ操作部３からの操作信号によりアンテナ１３からの電波を受信増幅した後、目的の周波数にチューニングするものである。ユーザの所定の操作により順番にチューニングし、希望するラジオ局に合わせることもできる。これはＣＰＵ１０の制御の下に行われる。チューニングされた周波数は復調され、復調信号はサウンド処理部１７で増幅されスピーカ１８より出力される。
【００１０】
ナビゲーション制御部１０ａ1 はメモリ部１１の地図データ１１ｃを読み込み、ＧＰＳ通信部１０ａ2 によって衛星と通信を行うことにより位置情報を得、自車の現在位置などを液晶表示部２上の地図上に表示したり、案内情報をスピーカ１８から出力したりする。
検索部１０ｂ1 はＣＤ・ＤＶＤ２０などを挿入した場合やＨＤＤ２１から再生すべき曲が選択されると、その曲について楽曲データベース１１ａより取り出された楽曲データと歌詞データベース１１ｂとを比較して一致する歌詞データを取り出すものである。再生部１０ｂ2 は、ＣＤ・ＤＶＤデッキ４から読み込んだ曲またはＨＤＤ２１から選択されて読み込んだ曲を再生制御するものである。
入出力処理部１０ｂ3 はチューナ操作部およびナビ操作部３ならびにデッキ操作部５からの入力信号を処理し、ナビゲーション処理部１０ａやオーディオ処理部１０ｂに入力信号を渡す。また、ナビゲーション処理部１０ａやオーディオ処理部１０ｂで処理されたオーディオ信号，画像データや駆動指令などを液晶駆動回路１５やサウンド処理部１７に渡し、液晶表示部２に表示させたり、スピーカ１８からオーディオを出力させる。
【００１１】
図３は、楽曲データおよび歌詞データの各項目の例を説明するための図である。
（ａ）の楽曲データは楽曲タイトル，アーティスト名，ジャンル，収録ＣＤ名，演奏時間および波形情報より構成されている。楽曲を特定するための比較する項目は波形情報であり、一致した波形情報対応の楽曲データが読み出されることとなる。
（ｂ）の歌詞データはアーティスト名，曲タイトル，歌詞ファイルより構成されている。歌詞ファイルはテキスト形式で記述されたものである。楽曲データ検索で検索された楽曲データに対し比較する項目は、歌詞データのアーティスト名，曲タイトルであり、これらの項目が一致した歌詞ファイルが読み出され、液晶表示部に表示されることとなる。
【００１２】
図４は、本発明による歌詞表示システムの歌詞表示までの流れを説明するためのフローチャートである。
オーディオ処理部１０ｂはＨＤＤ２１内に格納されている多数の楽曲の中から再生すべきものを選択するためメニュー画面表示操作が行われた場合、そのメニュー画面を表示し、その内の１つがユーザにより選択されるか否かを監視する。また、ＣＤ・ＤＶＤデッキ４にＣＤが装着されるか否かを監視している（ステップ（以下「Ｓ」という）００１）。
ＨＤＤ２１から楽曲が選択された場合には、その楽曲の波形を読み出し、その波形をＣＤＤＢ１１ａの検索項目とする。また、ＣＤが装着された場合は、ＣＤ・ＤＶＤ制御部１０ｃは駆動回路１９を駆動しＣＤ・ＤＶＤデッキ４を起動する。そしてＣＤより楽曲の波形情報を読み取る。この波形情報はＣＤＤＢの検索項目である（Ｓ００２）。検索部１０ｂ1 は検索して波形が一致した楽曲データをＣＤＤＢ１１ａから見つけ出す（Ｓ００３）と、一致した波形対応の楽曲データの曲タイトル，アーティスト名，ジャンル，収録ＣＤ名，演奏時間を読み出し、入出力処理部１０ｂ3 を通じて液晶表示部２に表示する（Ｓ００４）。
【００１３】
検索部１０ｂ1 はさらに一致した波形対応の楽曲データの曲タイトルとアーティス名を検索項目としてメモリ部１１の歌詞データベース１１ｂにアクセスし、同じ曲タイトルとアーティス名の歌詞データを検索する（Ｓ００５）。項目が一致する候補を検索できた場合、つぎに候補が複数あるか否かを判定する（Ｓ００６，Ｓ００７）。
候補が１つであれば、その候補の歌詞データの歌詞ファイルを読み出し、歌詞内容を液晶表示部２に表示する（Ｓ００８）。一方、候補が複数の場合には、複数の曲タイトルを液晶表示部２に表示し（Ｓ００９）、ユーザが選択することとなる。ユーザが複数の候補の１つを選択すると、選択された候補の歌詞データの歌詞ファイルを読み出し、歌詞内容を液晶表示部２に表示する（Ｓ０１０）。
【００１４】
以上の実施の形態は歌詞データベースの２つ項目が一致する例について説明したが、１つの項目の一致を検出しても良い。また、タイトル，アーティスト名の一致を検索してその歌詞データの歌詞ファイルを取り込む例を説明したが、歌詞データ内にタイトル，アーティスト名以外に演奏時間、ジャンル，収録ＣＤ名なども記録しておき、これらについて検索項目にすることも可能である。
さらに、楽曲データをＣＤ，ＨＤＤ以外のメモリ部や外部記憶部から読み込んで本シテスムで再生する場合も、同様に楽曲データの歌詞を検索して表示部に表示させることも可能である。さらには、歌詞内容を読みった後、自動的に液晶表示部に表示する例について説明したが、液晶表示部に表示する前にユーザに対し「歌詞を表示しますか？」の問い合わせを行うようにして歌詞表示をするか否かをユーザに選択させることもできる。
【産業上の利用可能性】
【００１５】
車等に搭載する、カーナビ装置と一体型で構成され画面表示部を有するオーディオ装置である。
【図面の簡単な説明】
【００１６】
【図１】本発明によるカーオーディオにおける歌詞表示システムを適用したカーナビオーディオ装置の外観を示す図である。
【図２】カーナビオーディオ装置の回路の実施の形態を示す回路図である。
【図３】楽曲データベースおよび歌詞データベースの構成内容の一例を示す図である。
【図４】本発明による歌詞表示システムの歌詞表示までの流れを説明するためのフローチャートである。
【符号の説明】
【００１７】
１  カーナビオーディオ装置  
２  液晶表示部  
３  ＦＭ・ＡＭチューナ操作部およびナビ操作部
４  ＣＤ・ＤＶＤデッキ  
５  デッキ操作部  
６  ボリューム
１０  ＣＰＵ
１１  メモリ部
１３  操作部
１４  ＲＯＭ
１５  液晶駆動回路
１７  サウンド処理部
１８  ４チャンネルスピーカ
１９  駆動回路
２０  記録媒体（ＣＤ・ＤＶＤ）
【図１】
2008052843.tif 000003
【図２】
2008052843.tif 000004
【図３】
2008052843.tif 000005
【図４】
2008052843.tif 000006